(57)【要約】【課題】親ノズルや子ノズルの噴射エネルギーを削減しても、所定の洗浄性能を得ることができる食器洗浄機を実現する。【解決手段】洗浄槽２と、洗浄槽２に食器３を収容する食器かご４と、洗浄槽２内の洗浄水を循環させて食器３を洗浄する洗浄ポンプ６と、洗浄槽２内の洗浄水を加熱する電気ヒータ５と、洗浄槽２内で自由に回転できるように配設されるとともに洗浄水を噴射する噴射孔８を有する親ノズル７と、親ノズル７に回転自在に設けられ、洗浄水を噴射する噴射孔１０を有する子ノズル９と、親ノズル７を所定の速度まで減速して回転させる減速手段２０とを備えた食器洗浄機であり、親ノズル７や子ノズル９の噴射エネルギーを削減しても、食器３に付着した残菜の洗浄に必要な水量の洗浄水が効率よく食器３の表面を流れるので、所定の洗浄性能を得ることができる。【選択図】図１
2014046063.tif 000002
【特許請求の範囲】
【請求項１】
洗浄槽と、前記洗浄槽に食器等の被洗浄物を収容する食器かごと、前記洗浄槽内の洗浄水を循環させて被洗浄物を洗浄する洗浄ポンプと、前記洗浄槽内の洗浄水を加熱する電気ヒータと、前記洗浄槽内で自由に回転できるように配設されるとともに洗浄水を噴射する噴射孔を有する親ノズルと、前記親ノズルに回転自在に設けられ、洗浄水を噴射する噴射孔を有する子ノズルと、前記親ノズルを所定の速度まで減速して回転させる減速手段とを備えた食器洗浄機。
【請求項２】
前記減速手段は、前記親ノズルの回転速度を前記子ノズルの回転速度より遅くして回転させる請求項１に記載の食器洗浄機。
【請求項３】
前記減速手段は、前記親ノズルの回転速度に応じて、減速力が可変する請求項１または２に記載の食器洗浄機。
【請求項４】
前記子ノズルは、前記親ノズルの回転方向とは逆方向に回転する請求項１〜３のいずれか１項に記載の食器洗浄機。
【発明の詳細な説明】
【技術分野】
【０００１】
本発明は、食器等の被洗浄物の洗浄及びすすぎを行う食器洗浄機に関する。
【背景技術】
【０００２】
従来の食器洗浄機について説明する。図４は、従来の食器洗浄機１０１の内部構成を示す側面断面図であり、図５は、同食器洗浄機１０１の洗浄ノズル１０７を示す平面図である。
【０００３】
食器洗浄機１０１は、図４に示すように、洗浄槽１０２を有している。洗浄槽１０２は、その内部に食器１０３を収納する食器かご１０４を設けている。洗浄ポンプ１０６が洗浄槽１０２の下部方向に配置されている。洗浄ポンプ１０６は、洗浄水を加圧して、洗浄ノズル１０７の噴射孔１０８より洗浄水を噴射し、食器かご１０４に収納した食器１０３を洗浄する。
【０００４】
洗浄ノズル１０７は、図５に示すように、洗浄水を噴射する推進噴射孔１０８ａを備えている。洗浄ノズル１０７は、推進噴射孔１０８ａから洗浄水が噴射されるときに発生する噴射反力Ｆとノズル軸部１１７中心と推進噴射孔１０８ａとの距離である回転半径ｒとの積、すなわち洗浄ノズル１０７の回転トルクＴ（＝Ｆ×ｒ）により、所定回転数Ｎ（３０〜６０ｒ／ｍｉｎ）で推進噴射孔１０８ａの噴射方向とは逆方向に回転させられる。洗浄ノズル１０７の回転数は、洗浄ノズル１０７の回転中心部であるノズル軸部１１７と軸受との間に小さな固形物などの異物が侵入しても止まることがないように考慮され、また、洗浄ノズル１０７の回転数が高すぎてノズル軸部１１７近傍が磨り減ってしまわないように考慮された回転数に設定されている（例えば、特許文献１参照）。
【０００５】
また、洗浄ノズルを噴射反力以外の力で回転駆動させる駆動手段を備えた食器洗浄機が提案されている（例えば、特許文献２参照）。この構成の食器洗浄機では、洗浄ノズルの回転速度を変化させることができる。食器の多い場所で洗浄ノズルの回転速度を低下させ、他の場所よりも長時間洗浄することで、食器の多い場所の洗浄力を向上させ、あらゆる場所での洗浄効果を均一化させている。
【先行技術文献】
【特許文献】
【０００６】
【特許文献１】特開平０７−０３１５７５号公報
【特許文献２】特開２００５−３２９０２２号公報
【発明の概要】
【発明が解決しようとする課題】
【０００７】
しかしながら、上記特許文献１の食器洗浄機１０１は、茶碗や大皿などの洗浄しにくい食器１０３に対して、洗浄ノズル１０７の回転数を低下させて洗浄水を噴射すると、一回の噴射によって洗浄水が上記の洗浄しにくい食器１０３全体に広がり、効率よく洗浄できる半面、単に推進噴射孔１０８ａの噴射角度を調整して噴射反力Ｆを減少させて回転数を低下させると、ノズル軸部１１７と軸受との間に小さな固形物などの異物が侵入した場合に回転抵抗が増加し、洗浄ノズル１０７の回転が止まってしまうので、単純に噴射反力Ｆを減少させて回転数を低下させることはできないという課題を有している。
【０００８】
また、上記特許文献２の食器洗浄機では、食器の量に応じて洗浄ノズルの回転速度を低下させることで、各食器に噴射される洗浄水の噴射量を均一化させている。しかしながら
、上記特許文献２の食器洗浄機は、基本的な洗浄力を向上させていないため、強い汚れを少ないエネルギーで洗浄することができないという課題を有している。また、上記特許文献２の食器洗浄機は、食器の量に応じて運転時間が延長されてしまうという課題も有している。
【０００９】
本発明は、上記従来の課題を解決するもので、食器に付着した汚染物の洗浄（剥離と移送）に必要な所定水量の洗浄水が食器を流れるように洗浄ノズルの回転速度を設定することに着目し、少ない噴射エネルギーであっても、洗浄ノズルを低速回転させることで所定の洗浄力を得ることができる食器洗浄機を提供することを目的としている。
【課題を解決するための手段】
【００１０】
本発明の食器洗浄機は、洗浄槽と、前記洗浄槽に食器等の被洗浄物を収容する食器かごと、前記洗浄槽内の洗浄水を循環させて被洗浄物を洗浄する洗浄ポンプと、前記洗浄槽内の洗浄水を加熱する加熱手段と、前記洗浄槽内で自由に回転できるように配設されるとともに洗浄水を噴射する噴射孔を有する親ノズルと、前記親ノズルに回転自在に設けられ、洗浄水を噴射する噴射孔を有する子ノズルと、前記親ノズルを所定の速度まで減速して回転させる減速手段とを備えた食器洗浄機である。
【００１１】
この構成により、本発明の食器洗浄機は、洗浄ノズルの噴射エネルギー（特に噴射流量）を削減しても、食器の汚染物の洗浄に必要な水量の洗浄水を食器の表面に供給して流すことができるので、少ない水量の洗浄水でも所定の洗浄性能を得ることができる。
【発明の効果】
【００１２】
本発明の食器洗浄機は、回転可能な親ノズルに回転自在な子ノズルを設け、かつ、親ノズルを所定の回転数で回転させる減速手段を備えたことで、親ノズルや子ノズルの噴射エネルギー（特に噴射流量）を削減しても、所定の洗浄性能を得ることができる。
【図面の簡単な説明】
【００１３】
【図１】本発明の実施の形態１の食器洗浄機の側面断面図
【図２】本発明の実施の形態１の食器洗浄機の平面断面図
【図３】本発明の実施の形態１の食器洗浄機の可変減速力の説明図
【図４】従来の食器洗浄機の側面断面図
【図５】従来の食器洗浄機の洗浄ノズルの平面図
【発明を実施するための形態】
【００１４】
第１の発明は、洗浄槽と、前記洗浄槽に食器等の被洗浄物を収容する食器かごと、前記洗浄槽内の洗浄水を循環させて被洗浄物を洗浄する洗浄ポンプと、前記洗浄槽内の洗浄水を加熱する加熱手段と、前記洗浄槽内で自由に回転できるように配設されるとともに洗浄水を噴射する噴射孔を有する親ノズルと、前記親ノズルに回転自在に設けられ、洗浄水を噴射する噴射孔を有する子ノズルと、前記親ノズルを所定の速度まで減速して回転させる減速手段とを備えた食器洗浄機である。
【００１５】
この構成により、親ノズルや子ノズルの噴射エネルギー（特に噴射流量）を削減しても、食器の汚染物の洗浄に必要な水量の洗浄水が食器表面を流れるので、所定の洗浄性能を得る食器洗浄機を提供することができる。また、少ない水量の洗浄水で食器を洗浄できるため、加熱手段で加熱する熱エネルギーを削減することができ、省エネ効果も得ることができる。
【００１６】
第２の発明は、第１の発明において、前記減速手段は、前記親ノズルの回転速度を前記子ノズルの回転速度より遅くして回転させる食器洗浄機とすることで、子ノズルの噴射孔
は、自転速度に較べて相対的に低速で、親ノズルの回転中心に対して公転するような軌跡に沿って移動する。この構成により、親ノズルや子ノズルの噴射エネルギー（特に噴射流量）を削減しても、食器の汚染物の洗浄に必要な水量の洗浄水が食器表面を流れるので、所定の洗浄性能を得る食器洗浄機を提供することができる。また、少ない水量の洗浄水で食器を洗浄できるため、加熱手段で加熱する熱エネルギーを削減することができ、省エネ効果も得ることができる。
【００１７】
第３の発明は、第１または第２の発明において、前記減速手段は、前記親ノズルの回転速度に応じて、減速力が可変する食器洗浄機である。この構成により、洗剤の泡や食器から落ちた汚染物の影響、小さな固形物や繊維状の異物等により、親ノズルの噴射孔から噴射する洗浄水の噴射反力が落ちたり、親ノズルの軸とノズル軸受の間に異物が入り込んで抵抗になることで、親ノズルの回転速度が落ちたりしても、それに応じて、減速手段の減速力を落とすことで、親ノズルを所定の最適な回転速度に保って回転させることができる。したがって、急激に親ノズルの回転数が変化することなく、安定して食器に付着した汚染物の洗浄に必要な水量の洗浄水を食器の表面に流すことができるので、少ない水量でも所定の洗浄性能を得る食器洗浄機を提供することができる。
【００１８】
第４の発明は、第１〜第３の発明において、前記子ノズルは、前記親ノズルの回転方向とは逆方向に回転する食器洗浄機である。この構成により、子ノズルの最外周の噴射孔が親ノズルを中心として最外周に位置する時、親ノズルの回転方向に対して逆回転しているため、相対的に回転速度を遅くすることができる。子ノズルの最外周の噴射孔から噴射される洗浄水は、噴射孔の食器間を通過する速度が減速することで、食器間に供給されやすくなる。したがって、子ノズルの噴射エネルギー（特に噴射流量）を削減しても、食器に付着した汚染物の洗浄に必要な水量の洗浄水を食器表面に流すことができ、所定の洗浄性能を得る食器洗浄機を提供することができる。
【００１９】
以下、本発明の実施の形態について、図面を参照しながら説明する。なお、本実施の形態によって本発明が限定されるものではない。
【００２０】
（実施の形態１）
まず、本発明の実施の形態１における食器洗浄機１の構成について説明する。図１は、本発明の実施の形態１における食器洗浄機１の内部構成を示す側面断面図であり、図２は、同食器洗浄機１の内部構成を示す平面断面図であり、図３は、同食器洗浄機１の可変減速力について説明する説明図である。
【００２１】
図１に示す食器洗浄機１において、食器３を配置する食器かご４を収納する洗浄槽２内には、洗浄水又は空気を加熱する加熱手段である電気ヒータ５（例えばシーズヒータなど）が設けられている。また、洗浄槽２の下部に配置された洗浄ポンプ６は、洗浄水を加圧し、親ノズル７及び子ノズル９へ送水する。洗浄ポンプ６により加圧された洗浄水は、洗浄槽２内に設けられた親ノズル７の複数の噴射孔８と、子ノズル９の複数の噴射孔１０より食器３に向けて噴射される。洗浄水は、水道配管から給水弁１１によって洗浄槽２内に給水され、排水ポンプ１２により洗浄槽２から食器洗浄機１外に排水される。フィルタ１３は、洗浄槽２内の下部に設けられており、食器３を洗浄する洗浄工程および食器３をすすぐすすぎ工程で、残菜（食器３に汚れとして付着していた食品等の汚染物を残菜という）を捕集する。
【００２２】
送風手段１４（例えば送風ファンなど）は、乾燥工程で動作して、食器洗浄機１外の空気を洗浄槽２内に供給し、排気口１５より排気することで、洗浄槽２内の食器３を乾燥させる。洗浄槽２の前面にドア１６が開閉自在に設けられており、使用者は、ドア１６を開くことで、食器３を食器洗浄機１から自由に出し入れすることができる。温度検知手段１
７（例えばサーミスタなど）は、洗浄槽２の下面外部に設けられており、洗浄槽２内の洗浄水又は空気の温度を間接的に検知し、その出力を制御装置１８に入力する。制御装置１８は、温度検知手段１７の出力に基づいて電気ヒータ５、洗浄ポンプ６、給水弁１１、排水ポンプ１２、送風手段１４を制御して、洗浄、すすぎ、乾燥の一連の工程を実行する。
【００２３】
親ノズル７は、洗浄槽２内の下部のほぼ中央に設けられたノズル軸受２２に回転可能に保持されている。親ノズル７は、図２に示すように、洗浄槽２を上方から見て、左右方向の流路の少なくとも１つに子ノズル９と嵌合する軸受部２１を有している。また、片側の流路のみに複数の軸受部２１を有していてもよい。また、図１に示すように、親ノズル７は、流路１９を介して洗浄ポンプ６と接続されている。また、子ノズル９は、軸受部２１を介して親ノズル７に連結かつ連通され、軸受部２１に回転自在に保持されている。
【００２４】
減速手段２０は、親ノズル７の近傍に配置され、歯車２３等により親ノズル７に連結され、親ノズル７の回転速度を減速させる。なお、減速手段２０は、親ノズル７の回転によって、抵抗が変化するものであればよく、水、オイルなどの液体や空気の抵抗を受けて減速する機械式でも、モータ等で減速する電気式でも、磁力を使って減速する磁力方式でもよい。
【００２５】
次に、上記構成の食器洗浄機１について、その動作及び作用を説明する。使用者がドア１６を開け、食器かご４を前方に引き出して食器３を配置し、洗剤を入れた後、食器かご４を洗浄槽２に収容する。使用者がドア１６を閉じて運転を開始すると、制御装置１８によって、以下に説明する一連の工程が実行される。
【００２６】
まず、排水ポンプ１２が動作して、前回の運転等で洗浄槽２内に残っている洗浄水（残水と呼ぶ）を食器洗浄機１外へ排出する。次に、給水弁１１が動作して所定量の洗浄水を洗浄槽２に供給する。所定量の洗浄水が供給されると、洗浄ポンプ６により洗浄水が加圧され、流路１９を介して洗剤とともに親ノズル７に設けた噴射孔８と、子ノズル９に設けた噴射孔１０から洗浄水が食器３に向けて噴射される。こうして洗浄工程が行われる。この洗浄工程では、洗浄槽２内に設けた電気ヒータ５に通電して洗浄水が洗浄所定温度まで加熱される。
【００２７】
この時、図２に示すように、親ノズル７の噴射孔８から噴射される洗浄水の反力（以後、噴射反力と呼ぶ）により、親ノズル７は、ノズル軸受２２を中心として噴射方向とは反対方向に回転する。この噴射反力は、親ノズル７を１５〜４０ｒ／ｍｉｎで回転させるに充分な力で、食器洗浄機１の通常の使用状況では、外乱によるばらつきがあっても親ノズル７は回転を停止しない。
【００２８】
更に、親ノズル７から子ノズル９へ洗浄水が供給され、子ノズル９の噴射孔１０から噴射される洗浄水の噴射反力により、子ノズル９も噴射方向とは反対方向に回転する。図２に示すように、子ノズル９は親ノズル７の先端部分で軸受部２１を中心として自転しながら、洗浄槽２内を公転する。子ノズル９のこの動作によって、子ノズル９の噴射孔１０から噴射される洗浄水は、食器かご４に配置された食器３に均一に供給されて、食器３を効率よく洗浄する。
【００２９】
さらに、親ノズル７の近傍に設けた減速手段２０により、親ノズル７の回転数は１５〜４０ｒ／ｍｉｎから、所定の回転速度である２〜２０ｒ／ｍｉｎに減速される。親ノズル７が低速で回転することで、食器３間を通過する時に噴射される洗浄水の水量は増加し、１回通過あたりの噴射エネルギーも増加する。これにより、付着した汚れを剥ぎ取る機械力を食器３の上方にまで十分に与えることができる。
【００３０】
また親ノズル７の回転数が減速されない状態では、子ノズル９の噴射孔１０から噴射された洗浄水は、上方に行くほど水滴状に飛散され、食器３に対する洗浄水の当たり方にムラができるが、親ノズル７が低速で回転することにより、洗浄水が水滴状に飛散しても集中噴射されることで、水滴が略水柱状になり、食器３にムラなく十分な洗浄水を供給することができる。
【００３１】
洗浄工程が所定時間行われると、排水ポンプ１２が食器３から洗い落とされた汚れを含む洗浄水を機外へ排出する。そして、新たに給水弁１１が洗浄水を洗浄槽２内に供給し、親ノズル７に設けた噴射孔８や子ノズル９に設けた噴射孔１０から再び洗浄水が噴射されて、洗剤や残菜等で汚れた食器３をすすぐ、すすぎ工程を実行する。
【００３２】
この時も、図２に示すように、子ノズル９は、親ノズル７の先端部分で軸受部２１を中心として自転しながら、ノズル軸受２２を中心に公転する。減速手段２０が親ノズル７の回転を減速させるので、親ノズル７の噴射孔８及び子ノズル９の噴射孔１０から噴射される洗浄水は、食器かご４に配置された食器３に均一に供給されて、食器３をすすぐ。このすすぎ工程が終わると、洗浄水は排水ポンプ１２により再び機外へ排出される。このすすぎ工程は、連続して複数回繰り返される。洗浄工程およびすすぎ工程では、残菜は洗浄槽２内に設けたフィルタ１３内に捕集される。
【００３３】
所定回数のすすぎ工程が終了すると乾燥工程が行われる。この乾燥工程では、送風手段１４が動作して食器洗浄機１外の空気が洗浄槽２内へ送り込まれる。送り込まれた空気は電気ヒータ５により加熱され、食器３を乾燥させて排気口１５より機外へ排出される。乾燥工程終了後、制御装置１８は、食器洗浄機１の運転を終了する。なお、複数回行われるすすぎ工程のうち、最後の１回は洗浄水を電気ヒータ５により加熱しながら食器３をすすぐ加熱すすぎとすると、食器の除菌と乾燥の向上において効果的である。
【００３４】
以上に説明したように、本発明の食器洗浄機１においては、回転可能な親ノズル７の先端部に回転自在な子ノズル９を設け、かつ、親ノズル７の回転を減速手段２０によって減速する。これにより、本発明の食器洗浄機１は、親ノズル７や子ノズル９の噴射エネルギー（特に噴射流量）を削減しても、食器３間に洗浄水を供給しやすくなり、かつ１回通過あたり十分な水量の洗浄水が供給されるので、食器３の全面に付着した残菜に、剥離させるのに必要な洗浄水の機械力を与えることができ、洗浄に必要な大量の洗浄水を食器３表面に均一に流すことができ、全体で少ない循環水量でも所定の洗浄性能を得ることができる。また、本発明の食器洗浄機１は、少ない水量の洗浄水で食器３を洗浄できるため、電気ヒータ５で加熱する熱エネルギーを削減することができ、省エネ効果も得ることができる。
【００３５】
また、減速手段２０によって、親ノズル７の回転速度を子ノズル９の回転速度より遅く回転させると、食器３の洗浄にさらに良い効果をもたらす。このように構成することにより、子ノズル９の噴射孔１０は、自転速度に較べて相対的に低速で、親ノズル７の回転中心に対して公転するような軌跡に沿って移動する。低速で公転することで、子ノズル９が１回転あたり各食器３を通過する時間が長くなり、子ノズル９の噴射孔１０から噴射される洗浄水を各食器３に十分に供給することができる。
【００３６】
また、子ノズル９の噴射孔１０の一つに着目すると、子ノズル９が１周回転する間に、親ノズル７もある程度回転する。親ノズル７を中心として軌跡を考えた場合、子ノズル９の噴射孔１０の移動は、「子ノズル９の回転速度／親ノズル７の回転速度」の比率の値が１より大きく、更に比率が大きい程、軌跡上でむらなく洗浄水を食器３に噴射することができる。
【００３７】
したがって、本発明の食器洗浄機１は、親ノズル７や子ノズル９の噴射エネルギー（特に噴射流量）を削減しても、食器３間に洗浄水を供給しやすくなり、かつ噴射孔１０が食器３間を通過時に、１回あたり十分な水量の洗浄水が供給されるので、食器３の表面に付着した残菜の洗浄に必要な大量の洗浄水を食器３の表面に流すことができ、少ない水量でも所定の洗浄性能を得ることができる。また、本発明の食器洗浄機１は、少ない水量で食器３を洗浄できるため、電気ヒータ５で加熱する熱エネルギーを削減することができ、省エネ効果も得ることができる。
【００３８】
また、減速手段２０は、親ノズル７の回転速度に応じて、減速力を可変できる構成にすると、食器３の洗浄にさらに良い効果をもたらす。
【００３９】
減速手段２０は、図３に示したように、親ノズル７の回転速度に応じて、例えば機械式の減速手段であれば、空気や水等の流体的抵抗を受ける。親ノズル７が早く回れば、その回転速度の大きさに応じて、より大きい減速力が働き、親ノズル７は大きく減速し、逆に親ノズル７の回転速度が遅ければ、減速力が減少し、所定の回転速度で安定して低速回転することができる。
【００４０】
洗浄ポンプ６の電圧変動による吐出圧のばらつき、洗剤の泡や食器３から落ちた残菜の影響等で、親ノズル７の噴射孔８から噴射する洗浄水の噴射反力が減少する。また、親ノズル７の軸と親ノズル７と嵌合するノズル軸受２２との摺動部等に、小さな固形物や繊維状の異物等が入り込んで抵抗になることで、親ノズル７の回転速度が落ちる。親ノズル７に設けた噴射孔８の噴射反力を下げて、親ノズル７の回転速度を減速しようとしても、上記のような外的な要因（外乱）により回転速度にばらつきが生じ、想定以上の異物等による影響が出た場合、親ノズル７が停止もしくは回転速度が不安定になることで、洗浄不良が起こる可能性がある。
【００４１】
本発明の食器洗浄機１は、上記のような異物や電圧変動等、想定しうる外的な要因による親ノズル７の回転数を減速させる力に対し、それを上回る回転トルクを与え、外的な要因による減速力によって生じる親ノズル７の回転トルクの変動に連動して、減速手段２０が所定の減速力を安定させるように可変しながら補う。これによって、本発明の食器洗浄機１は、減速手段２０により、親ノズル７を所定の最適な低速回転に安定して保って回転させることができる。したがって、食器３の残菜の洗浄に必要な水量の洗浄水が安定して食器３の表面を流れるので、本発明の食器洗浄機１は、少ない水量で、省エネを実現し、所定の洗浄性能を得ることができる。
【００４２】
また、子ノズル９は、親ノズル７の回転方向と逆方向に回転させると、食器３の洗浄にさらに良い効果をもたらす。図２に示したように、子ノズル９と親ノズル７の流路が平行になった場合、子ノズル９の最外周に設けた噴射孔１０は、親ノズル７の中心からみて、最外周に位置しているので、子ノズル９の回転速度と親ノズル７の回転速度の影響を受ける。つまり、子ノズル９が親ノズル７と同じ回転方向に回っていると、相対的に回転数が速くなり、子ノズル９の噴射孔１０の移動速度が速くなる。親ノズル７と子ノズル９の回転方向を逆にすることで、子ノズル９の最外周の噴射孔１０が親ノズル７の回転中心から最外周に位置した時、親ノズル７の回転方向に対して相対速度を遅くすることができる。
【００４３】
噴射孔１０の食器３間を通過する速度がさらに落ちることで、最外周の噴射孔１０から噴射される洗浄水が食器３間に供給されやすくなる。したがって、本発明の食器洗浄機１は、親ノズル７や子ノズル９の噴射エネルギー（特に噴射流量）を削減しても、食器３に付着した残菜と洗浄水の接触効率が上がり、必要な水量の洗浄水で食器３の表面を洗い流すことができ、所定の洗浄性能を得ることができる。
【産業上の利用可能性】
【００４４】
以上のように、本発明にかかる食器洗浄機は、子ノズルを公転させる親ノズルを減速手段により所定の速度に減速して低速で回転させることで、親ノズルや子ノズルの噴射孔から噴射させる洗浄水の噴射エネルギー（特に噴射流量）を削減しても、食器に付着した残菜の洗浄に必要な水量の洗浄水が食器表面を流れるので、所定の洗浄性能を得ることができ、効率的に食器を洗浄することが可能となるので、家庭用の食器洗浄機だけでなく、業務用の食器洗浄機等としても有用である。
【符号の説明】
【００４５】
１  食器洗浄機
２  洗浄槽
３  食器（被洗浄物）
４  食器かご
５  電気ヒータ
６  洗浄ポンプ
７  親ノズル
８  噴射孔
９  子ノズル
１０  噴射孔
１１  給水弁
１２  排水ポンプ
１４  送風手段
１８  制御装置
１９  流路
２０  減速手段
２１  軸受部
２２  ノズル軸受
【図３】
2014046063.tif 000003
【図１】
2014046063.tif 000004
【図２】
2014046063.tif 000005
【図４】
2014046063.tif 000006
【図５】
2014046063.tif 000007